(57)【要約】    インクジェットプリンタにおける印字ヘッドのノズル（８）によって噴出される液滴のサイズを制御するためのプリンタ制御ユニット（３）を記載する。制御ユニット（３）は、プリンタによって印刷される画像に関する情報を、例えばラスターイメージプロセッサ（５）から、受信する。前記プリンタによって印刷される画像に関する情報は、ノズルより噴出されて画像を印刷するために必要とされる液滴のサイズに関する液滴サイズ情報を含む。画像を印刷するための印刷パラメータ情報は、前記受信した液滴サイズ情報に基づいて決定される。前記印刷パラメータ情報は、前記画像の印刷中にノズルによって噴出される液滴が必要液滴サイズを有するようにプリンタを設定するべく用いられる情報を含む。【選択図】    図１
2010516509.tif 000002
【特許請求の範囲】
【請求項１】
インクジェットプリンタにおける印字ヘッドのノズルによって噴出される液滴のサイズを制御するためのプリンタ制御ユニットにして、
ノズルより噴出されて画像を印刷するために必要とされる液滴のサイズに関する液滴サイズ情報を含む、プリンタによって印刷される画像に関する情報を受信する手段と、
該受信した液滴サイズ情報に基づいて、前記画像を印刷するための印刷パラメータ情報を決定する手段とを有し、
前記印刷パラメータ情報が、前記画像の印刷中にノズルによって噴出される液滴が必要液滴サイズを有するようにプリンタを設定するべく用いられる情報を含むことを特徴とするプリンタ制御ユニット。
【請求項２】
前記ノズルのための前記必要液滴サイズを用いて前記画像を印刷するように前記プリンタを設定するために、前記印刷パラメータ情報を該プリンタに送信する手段を、更に含む請求項１に記載のプリンタ制御ユニット。
【請求項３】
前記印刷パラメータ情報を決定する手段が、前記必要液滴サイズに関連する予め定められた印刷パラメータ情報を、メモリから取り出す手段を有することを特徴とする請求項１又は請求項２に記載の制御ユニット。
【請求項４】
前記印刷パラメータ情報を決定する手段が、前記必要液滴サイズに基づいて、プリンタ設定を算出する手段を有することを特徴とする先行する請求項の何れかに記載の制御ユニット。
【請求項５】
前記印刷パラメータ情報が、プリンタ設定に関する情報を含むことを特徴とする先行する請求項の何れかに記載の制御ユニット。
【請求項６】
前記印刷パラメータ情報が、前記ノズルから前記必要液滴サイズを有する液滴を噴出するための印字パルスに関する情報を含むことを特徴とする先行する請求項の何れかに記載の制御ユニット。
【請求項７】
複数のノズルによって噴出される液滴のサイズを制御するように適合された、先行する請求項の何れかに記載の制御ユニットにして、前記プリンタを設定するための前記印刷パラメータ情報が、前記画像の印刷中、前記必要液滴サイズを有する液滴を噴出するように複数のノズルを設定するべく用いられる情報を含む制御ユニット。
【請求項８】
インクジェットプリンタにおける第一のノズル及び第二のノズルによって噴出される液滴のサイズを制御するように適合された、先行する請求項の何れかに記載の制御ユニットにして、液滴サイズ情報が、前記画像を印刷するために噴出される液滴についての二つの必要サイズに関する情報を含んでおり、前記印刷パラメータ情報が、前記画像の印刷中に第一のノズルによって噴出される液滴が第一の必要液滴サイズを有し、且つ第二のノズルによって噴出される液滴が第二の必要液滴サイズを有するように、前記プリンタを設定するために用いられる情報を含むことを特徴とする制御ユニット。
【請求項９】
前回の画像を印刷するために使用された前記プリンタ設定を決定する手段を、更に含む先行する請求項の何れかに記載の制御ユニット。
【請求項１０】
前回の画像を印刷するために使用された前記プリンタ設定を決定する手段が、前記必要液滴サイズ情報と前回の画像の液滴サイズ情報とを比較する手段を含むことを特徴とする請求項９に記載の制御ユニット。
【請求項１１】
ラスターイメージプロセッサから、前記液滴サイズ情報を受信するように構成されている、先行する請求項の何れかに記載の制御ユニット。
【請求項１２】
請求項１乃至請求項１１の何れかに記載の制御ユニット、及びラスターイメージプロセッサ手段を含む装置。
【請求項１３】
前記ＲＩＰが、印刷されるべき画像に関する情報を送信するように適合されており、該情報が、前記画像を印刷するために印刷ヘッドによって噴出される液滴のサイズに関する液滴サイズ情報を含むことを特徴とする請求項１２に記載の装置。
【請求項１４】
前記印刷される画像のための液滴サイズに関する情報を前記ＲＩＰに受け入れる手段を含む請求項１２又は請求項１３に記載の装置。
【請求項１５】
液滴サイズ情報が入手不可能であることを確定する手段と、前記画像を印刷するための初期設定に関する情報を決定する手段とを含むことを特徴とする、請求項１乃至請求項１１の何れかに記載の制御ユニット、又は請求項１２乃至請求項１４の何れかに記載の装置。
【請求項１６】
前記制御ユニットからの印刷パラメータ情報を受信するように構成されたプリンタ及び印字ヘッドを更に含む、先行する請求項の何れかに記載の装置。
【請求項１７】
前記ＲＩＰが、印刷される画像に関する情報を出力するように適合されており、該情報が、前記画像を印刷するために印字ヘッドによって噴出される液滴のサイズに関する液滴サイズ情報を含むことを特徴とする、好ましくは請求項１乃至請求項１１の何れかに記載の制御ユニットと関連づけて使用されるラスターイメージプロセッサ。
【請求項１８】
インクジェットプリンタを用いて印刷される画像に関するビットマップ情報を含み、更に、該画像を印刷するために該プリンタによって噴出される液滴の液滴サイズに関する情報を含む画像ファイル。
【請求項１９】
設定のそれぞれが、プリンタの印字ヘッドによる種々の液滴サイズの噴出に関連している、インクジェットプリンタのための一組の予め定められたプリンタ設定。
【請求項２０】
画像を印刷するためにノズルによって噴出される液滴の必要サイズに関する液滴サイズ情報を含む、プリンタによって印刷される画像に関する情報を受信する工程と、
必要液滴サイズ情報に基づいて、前記画像を印刷するための印刷パラメータ情報を決定する工程と、
前記ノズルによって噴出される液滴が前記必要液滴サイズを有するよう前記プリンタを設定するべく、前記印刷パラメータ情報を使用する工程とを、
有する、インクジェットプリンタにおける印字ヘッドのノズルによって噴出される液滴のサイズを制御する方法。
【請求項２１】
前記印刷パラメータ情報を前記プリンタに送信する工程を、更に含む請求項２０に記載の方法。
【請求項２２】
実質的に、図面を参照して本明細書において説明されている方法。
【請求項２３】
実質的に、図面を参照して本明細書において説明され、及び／又は図面に示されている方法。
【発明の詳細な説明】
【技術分野】
【０００１】
本発明は、インクジェット印刷に関するものである。本明細書に記載された本発明の態様は、インクジェットプリンタにおける液滴サイズを制御するための方法及び装置に関するものである。本発明は、特に、ドロップオンデマンド（drop on demand）式インクジェットプリンタに利用される。
【背景技術】
【０００２】
インクジェット印刷プロセスにおいて、多数の液滴、例えばインク滴は、要求された画像を形成するために、一定のパターンで被印刷物（substrate）の表面に付着される。インク滴は、一般に、インクジェット印字ヘッドの多数のノズルから噴出される。典型的なプリンタは、印字ヘッドアレイ内に複数の印字ヘッドを含んでいる。一般に、要求された画像の全体が被印刷物上に印刷される印刷手順の間、印字ヘッドアレイと被印刷物との間には相関的な動きが必要とされる。
【０００３】
技術上周知である方法を用いて印刷材料（例えば、インク）の液滴を噴出する様々なタイプの印字ヘッドが利用可能である。
【０００４】
ほとんどの市販用及び産業用インクジェットプリンタは、圧電材料を用いて、印字ヘッドノズルからインク滴を吐出する。このような印字ヘッドにおいては、各印字ノズルが、圧電材料に関連づけられているインクで満たされたチャンネルに接続されている。圧電材料に電気パルスが入力された時、圧電材料の大きさ又は形が変化するので、チャンネル内のインク内に圧力パルスが発生し、ノズルよりインク滴が噴出される。
【０００５】
サーマルインクジェット方式の印字ヘッドにおいては、発熱体がインクチャンネル（通路）に隣接して配置される。発熱体に入力された電気パルスがインクチャンネル内に気泡を発生させ、その結果、ノズルよりインク滴を吐出する。
【発明の概要】
【発明が解決しようとする課題】
【０００６】
高品質な画像を得るためには、液滴として噴出されるインクの量を制御することが必要である。液滴のサイズを異ならせ得る方法の一つは、インクを噴出するために入力されるパルス（印字パルス）に変化をつけることである。特に、各液滴において必要な量のインクが噴出されるように、入力される電圧及びパルス幅が選択される。
【０００７】
あるタイプのプリンタにおける、特定の液滴サイズを得るために必要なプリンタパラメータ及び設定（例えば、電圧及びパルス幅）は、他のプリンタにおけるものとは異なるだろうし、また、使用される印字ヘッド及びインクのタイプも要因となるであろう。一般に、パルス振幅及びパルス幅は、印字ヘッド製造業者から提供される入力されるパルスに関する情報に基づいて、標準液滴サイズを得る為に設定される。
【０００８】
従って、印字ヘッドの構成は、一般に、標準液滴サイズで液滴をプリント（print）するように設定されている。多くの場合、各滴が約３０ｎｇ（ナノグラム）のインクの質量となるように設定される。これは、インク体積３０ピコリットルとほぼ等しい。滴質量は、一般に、実際の滴体積よりも測定し易く、滴サイズを測定するのに便利な方法である。
【０００９】
様々な用途にとって、約３０ｎｇの滴サイズは、妥当な印刷画質を許容範囲内の印刷スピードで与えることが出来るので、許容可能である。
【００１０】
しかしながら、別のサイズの液滴を使用して印刷することが望ましい場合もあるだろう。例えば、より小さい液滴は、特に淡い色において、滑らかな仕上げに加えて向上された印刷解像度及びより鮮明な画像エッジによって、より優れた画像品質を与えることが出来る。
【００１１】
しかしながら、画像を形成するために、被印刷物の上に特定の量のインクを付着させることが一般に必要であるので、各液滴の体積が減少した場合、印刷される画像のために、より多くの液滴が付着されることが一般に必要となるであろう。例えば、液滴サイズが半分にされると、同じ画像を印刷する場合でも、大きな液滴を用いる時と比較すると、小さな液滴を用いて印刷する時には二倍もの液滴が噴出される必要があるだろう。
【００１２】
それ故、３０ｎｇの液滴を塗布するために印字ヘッドに与えられるデータは、１５ｎｇの液滴を使用する印刷にとっては、適切ではないだろう。従って、画像を形成するために、不十分な液滴が付着されることになるので、小さな液滴を塗布するために単にプリンタの構成を変えるということは出来ない。同様に、同じ画像データを用いたまま大きな液滴が代用された場合、被印刷物はインクで溢れるだろう。更に、液滴サイズパラメータの変更は容易なことではない。パルス電圧、パルス幅、及びその他の要因の間の関係は、単純なものではないのである。
【００１３】
本発明は、上記の先行技術に明らかにされている問題に対処しようとするものである。
【課題を解決するための手段】
【００１４】
従って、本発明の第一の態様において提供されるのは、インクジェットプリンタにおける印字ヘッドのノズルによって噴出される液滴のサイズを制御するためのプリンタ制御ユニットにして、ノズルより噴出されて画像を印刷するために必要とされる液滴のサイズに関する液滴サイズ情報を含む、プリンタによって印刷される画像に関する情報を受信する手段と、該受信した液滴サイズ情報に基づいて、前記画像を印刷するための印刷パラメータ情報を決定する手段とを有し、前記印刷パラメータ情報が、前記画像の印刷中にノズルによって噴出される液滴が必要液滴サイズを有するようにプリンタを設定するべく用いられる情報を含むことを特徴とするプリンタ制御ユニットである。
【００１５】
望ましくは、前記ユニットは、前記液滴サイズを用いて前記画像を印刷するように前記プリンタを設定するために、前記印刷パラメータ情報を該プリンタ及び／又は該プリンタの構成部材に送信する手段を更に含む。ユニットは、プリンタ自体の一部分であっても良い。
【００１６】
従って、本発明の望ましい形態において、プリンタは画像情報に関連した所定の液滴サイズで画像を印刷するように設定されている。特に望ましい実施例においては、画像全体がこの所定の液滴サイズを用いて印刷されている。望ましくは、画像の印刷中にノズルより噴出される全ての液滴が、必要な液滴サイズ、つまり同じサイズを有している。従って、望ましい実施例において、液滴サイズ設定は、その画像を印刷する印刷処理中ずっと同じである。望ましくは、画像の印刷中、ノズルがその液滴サイズの液滴のみを噴出する。印刷が実行される間、ノズル性能におけるバラツキのため、ノズルによって噴出される液滴のサイズは、通常は、実際のサイズにおいて、ある程度のバラツキがあるものであることが理解される。
【００１７】
言及される画像は、望ましくは一回の印刷作業又は印刷動作の間に印刷されたものであることが理解される。画像を印刷するための画像データは、一般に、一つの画像ファイルに含まれている。本明細書で言及される画像は、実際は大きな画像の一部、又は幾つかの個々の画像が別々に配置されて構成される合成画像の一部であっても良いことが理解される。
【００１８】
印刷パラメータ情報は、望ましくは、プリンタの構成部材に直接送信され、必要に応じてプリンタ設定を変化させる。送信された情報は、画像の印刷を実行するための画像データを含んでいても良いし、この画像情報は別個に送信されても良い。
【００１９】
望ましくは、 前記印刷パラメータ情報を決定する手段が、前記必要液滴サイズに関連する予め定められた印刷パラメータ情報を、メモリから取り出す手段を有する。
【００２０】
このメモリは、制御ユニットの一部であっても良い。望ましい構成において、印刷パラメータ情報は、プリンタ設定に関する情報を含んでいる。望ましくは、印刷パラメータ情報は、印刷される画像に関するデータよりも、プリンタのセットアップ及び／又は構成部材の全体的な操作に関する情報を含んでいる。従って、望ましくは、印刷パラメータ情報は、プリンタパラメータ及び／又は設定情報を含んでいる。情報は、印刷パラメータ設定の値のグループを複数含んでいても良く、各グループはそれぞれ特定の液滴サイズを用いた印刷のためのプリンタ設定を含む。異なるパラメータはメモリ内に別々に保存されても良いし、特定の液滴サイズに関連するパラメータのグループとして保存されても良い。情報は、ルックアップテーブル（look-up table）に保存されても良い。従って、メモリは、複数の別々の液滴サイズに関するプリンタ設定情報を含んでも良い。
【００２１】
従って、装置は、液滴サイズに関する複数のプリンタ設定に関する情報をメモリから確定する手段を含んでいても良い。
【００２２】
或いは、又はさらに加えて、特定の必要液滴サイズによって、一部の又は全ての印刷パラメータ情報が算出されても良い。情報は、オン・ザ・フライ（on-the-fly）で算出されても良い。
【００２３】
望ましくは、印刷パラメータ情報を決定する手段が、液滴サイズによってプリンタ設定を算出する手段を含む。
【００２４】
プリンタ設定は、所定の式を使用して算出されても良い。このように、プリンタ設定は、液滴サイズの範囲に亘って算出され得る。しかしながら、算出の結果は、計測したデータポイントよりも正確ではないので、場合によっては、この選択肢はあまり望ましくないかもしれない。
【００２５】
望ましくは、印刷パラメータ情報は、プリンタ設定に関する情報を含む。
【００２６】
望ましくは、印刷パラメータ情報は、プリンタの幾つかのパラメータに関する情報であって、画像の印刷中に必要とされる液滴サイズを得るために設定されるものを含む。
【００２７】
印刷パラメータ情報は、印字ヘッドノズルから液滴を噴出するための印字パルスに関する情報を含んでも良い。
【００２８】
情報は、例えば、周波数、振幅、パルス幅、又は印字パルスのその他の特徴に関する情報を含んでも良い。
【００２９】
情報は、印字ヘッド全体、印字ヘッドのグループ、一つ以上の印字ヘッドの幾つかのノズル、又は、一つの印字ヘッドノズルの為の印刷パルスと関連していても良い。幾つかの構成においては、単一パルス又はある種のパルスを用いて起動させるために、ノズルは一つのグループにまとめられても良い。例えば、特定の色インクを塗布するためのノズルが、一つのグループにまとめられ得るだろう。ノズルのグループ分けは、液滴サイズに要求される制御の量に基づいて決定されることが望ましい。例えば、プリンタ構成が、印刷中、画像の特定の部分を印刷するために異なる幾つかのノズルが使用されるようになっている場合、各ノズルの液滴サイズの正確な制御は、特定の部分を印刷するためにたった一つ又は少しのノズルしか使用されない構成に比べて、重要ではないであろう。後者の場合、特定のノズルグループの液滴サイズのバラツキは、印刷される画像にかなりの視覚的歪み（visual artefacts）を与えるだろう。
【００３０】
情報は、パルス電圧に関する情報を含んでも良い。使用される電圧が噴出される液滴の速度に影響を与えること、及び、小さな滴が低速度で噴出されると問題が起こるかもしれないことから、幾つかの構成において、液滴サイズに基づいて電圧を変化させることが有益であることが確認されている。
【００３１】
情報は、印字パルス周波数に関する情報を含んでも良い。使用される周波数は、幾つかの実施例において、液滴質量、使用されるパルス幅、及びその他の要因に基づく。
【００３２】
情報は、例えば、印字ヘッドと画像が印刷される被印刷物の動きの相対速度のような、その他のプリンタ設定に関する情報を含んでも良い。印字パルスの振幅が変えられ、印字液滴サイズが変更されると、滴が印字ヘッドから被印刷物へ移動するためにかかる時間が変更される可能性があり、特に、画像が双方向印刷（bi-directional printing）技術を用いて印刷される場合は、これを考慮に入れなければならない。
【００３３】
印字ヘッドのインク残量をモニタリングするための装置は、使用されたインクの量を決定するために、液滴サイズ情報を使用することが多い。例えば、液滴サイズが小さくなれば、液滴によってインクが使い果たされるまでに、より多くの時間がかかるだろう。従って、印刷パラメータ情報は、望ましくは、インクモニタリング装置の設定に関する情報も含む。
【００３４】
印刷パラメータ情報は、印字ヘッドが動作する温度に関する情報を含んでも良い。幾つかの構成において、印字ヘッドは、印字ヘッドにおいて望ましいインク温度を得るために使用されるヒータを含んでも良い。
【００３５】
印刷パラメータ情報は、使用される印字ヘッドの種類、使用されるインクの種類、及び／又は、使用されるインクの色、及び／又は、その他の要因に基づいて、決定されても良い。
【００３６】
望ましくは、ユニットは、複数のノズルによって噴出される液滴のサイズを制御するように適合されており、前記プリンタを設定するための前記印刷パラメータ情報が、前記画像の印刷中、前記必要液滴サイズを有する液滴を噴出するように複数のノズルを設定するべく用いられる情報を含む。従って、ノズルのグループは、特定の液滴サイズで液滴をプリントするようにグループ毎に設定されても良い。例えば、一つの印字ヘッド又は印字ヘッドのグループは、特定の液滴サイズで印刷するように設定されても良い。例えば、特定の色のインクのための印字ヘッドは、特定の液滴サイズで印刷するように設定され、他の印字ヘッド又は印字ヘッドのグループのために、異なる液滴サイズが設定されていても良い。
【００３７】
制御ユニットは、インクジェットプリンタにおける第一のノズル及び第二のノズルによって噴出される液滴のサイズを制御するようにされていてもよく、液滴サイズ情報が、前記画像を印刷するために噴出される液滴についての二つの必要サイズに関する情報を含んでおり、前記印刷パラメータ情報が、前記画像の印刷中に第一のノズルによって噴出される液滴が第一の必要液滴サイズを有し、且つ第二のノズルによって噴出される液滴が第二の必要液滴サイズを有するように、前記プリンタを設定するために用いられる情報を含むことを特徴とする。従って、種々のノズル又はノズルのグループは、種々のサイズの液滴をプリントするために設定され得る。例えば、プリンタの種々の印字ヘッドは、種々のサイズの液滴をプリントするために設定され得るだろう。従って、幾つかの印字ヘッドが小さい液滴をプリントしていると同時に、その他の印字ヘッドが大きな液滴をプリントしていても良い。このように、小さな液滴を必要とする画像の部分（例えば、明るい色調の部分）は、小さな液滴を用いて印刷され得る一方、他の部分（例えば、広範囲の塗りつぶし部分、又は画像の鋭いエッジ部分）は、大きな液滴を用いて印刷され得る。これらの構成において、各ノズル又はノズルの各グループが、印刷作業全体において、一つの液滴サイズのみで液滴をプリントすることが、依然として望ましい。
【００３８】
本願の実施例の特に重要な特徴は、液滴サイズに関して受信した情報に基づいて画像を印刷するために、プリンタ設定が自動的に設定され得ることである。
【００３９】
望ましくは、制御ユニットは、前回の画像を印刷するために使用された前記プリンタ設定を決定する手段を含む。
【００４０】
プリンタの設定が自動的に変更される場合においても、設定を変更することに関連する時間が存在する。従って、不必要に設定を変更することは、避けることが有利であろう。従って、望ましくは、プリンタ設定が次の画像に必要な液滴サイズで印刷するための望ましい値に既に設定されているか、どうかを決定する手段を、制御ユニットが含む。次の画像に必要な液滴サイズに設定されている場合、幾つかの構成においては、更なる変更の必要がない、或いは、変更の数が減らされ得る。
【００４１】
望ましくは、制御ユニットは、前回の画像を印刷するために使用された前記プリンタ設定を決定する手段、及び受信した液滴サイズ情報と前回の画像用液滴サイズ情報とを比較する手段を含む。
【００４２】
前回の液滴サイズに関する情報は、メモリに保存され得る。前回の画像のための液滴サイズ情報が現在の画像のためのものと同様であると、比較によって示された場合、プリンタが必要液滴サイズで印刷するように既に設定されていると考えられるので、プリンタ設定を変更することに関する更なる動作は、必要とされない。
【００４３】
或いは、プリンタの現在の設定の根拠である液滴サイズを査定するために、一つ以上の印刷パラメータ設定が決定されることも可能であり、更なる変更が必要か、どうかの判断が、下される。
【００４４】
或いは、プリンタ制御ユニットは、前回印刷された画像の設定に関する情報を保存するようにされ得る。この情報は、印刷される現在の画像の情報と比較され得、設定変更が必要かどうか決定される。
【００４５】
望ましくは、制御ユニットは、ラスターイメージプロセッサ（raster image processor）から液滴サイズ情報を受信するように設計される。液滴サイズ情報は、ＲＩＰから直接受信されなくても良いが、まず最初に追加的処理が施されるだろう。
【００４６】
プリントされる液滴の数は、一般に、噴出される液滴のサイズに依存するので、噴出される液滴のサイズは、しばしばＲＩＰ（ラスターイメージ処理）段階で決定される必要がある。従って、望ましくは、制御ユニットは、ＲＩＰからのビットマップ（bitmap）画像情報と、画像情報が処理された目的である液滴サイズに関する情報の両方を受信する。
【００４７】
本発明は、本明細書に記載される制御ユニットとラスターイメージプロセッサ手段とを含む装置をも提供する。ラスターイメージプロセッサは、一般に、ソフトウェアに組み入れられるだろう。
【００４８】
ＲＩＰがプリンタ制御ユニットで実行され得る一方、多くの実施例においては、ＲＩＰが別個の特別なＲＩＰにおいて実行されることが望ましい。
【００４９】
望ましくは、印刷される画像に関する情報を、ＲＩＰが制御ユニットへ送信するように適合されており、該情報が、前記画像を印刷するために印字ヘッドによって噴出される液滴のサイズに関する液滴サイズ情報を含むことを特徴とする。
【００５０】
望ましくは、画像情報が、液滴サイズ情報が組み込まれたジョブファイル（job file）を有する。印刷ジョブファイルは、基本的に、必要印刷解像度、画像サイズ、オリジナル画像名称、処理日、使用された処理パラメータ、各パスのキャリッジ位置、及びエンジンの各パス毎に各印字ヘッドに対して一つの断片が存在するように配置された一連の画像断片等、幾つかのヘッダ情報からなる。液滴サイズ情報は、ファイルのヘッダに含まれていても良い。
【００５１】
上記に示されるように、ＲＩＰと制御ユニットとは組み合わせ可能であって、ＲＩＰの出力は、効果的に、直接プリンタに送られるであろうプリンタ設定となるだろう。しかしながら、この場合、ＲＩＰは、システムの柔軟性を減少させるであろう特定のプリンタ、又は、特定のタイプのプリンタに特化される必要があるだろう。幾つかの望ましい実施例においては、ＲＩＰは、プリンタ設定を決定するプリンタ制御ユニットを含むプリンタドライバとは別個のものである。これは、プリンタ同士が異なる電圧／パルス振幅感度を有していたとしても、一つのジョブファイルが物理的に異なるプリンタで実行され得、同様の結果が得られることを意味する。同様に、二つの印字ヘッドの感度が異なるとしても、個々の印字ヘッドが交換された後、ジョブファイルは一貫した結果を出すだろう。
【００５２】
望ましくは、前記印刷される画像のための液滴サイズに関する入力を、前記ＲＩＰに受け入れる手段を含む。
【００５３】
この情報は、例えば、ドロップダウンリスト（drop-down list）から、ユーザによって入力されても良い。上記に示すように、幾つかの構成においては、液滴サイズ情報が複数の別々の液滴サイズのうちの一つに関連することが望ましい。ユーザによって選択された液滴サイズは、量的に識別されても良いし（例えば、１５ｎｇ、２２ｎｇ、３０ｎｇ）、又は質的に識別されても良い（例えば、小、中、大）。
【００５４】
望ましくは、その構成が、液滴サイズ情報が入手不可能であることを確定する手段と、画像を印刷するための初期設定（default settings）に関する情報を決定する手段とを含む。
【００５５】
特定の画像印刷のための具体的な液滴サイズが確定されなかった場合、前回使用された液滴サイズ設定を使用するよりも、「通常」液滴サイズを使用する方が、例えば印刷される画像にとって望ましいことであろう。従って、制御ユニットが画像情報と共に液滴サイズ情報を受信しなかった場合、或いは、ＲＩＰが液滴サイズ情報を入手しなかった場合、装置は、画像印刷のための初期設定に、プリンタを設定するように適合されていることが、望ましい。
【００５６】
望ましくは、装置は、制御ユニットからの印刷パラメータ情報を受信するように構成されたプリンタ及び印字ヘッドを更に含む。
【００５７】
本発明は、更に、印刷される画像に関する情報を出力するように構成されており、該情報が、前記画像を印刷するために印字ヘッドによって噴出される液滴のサイズに関する液滴サイズ情報を含むことを特徴とする、望ましくは本明細書に記載の制御ユニットと関連して使用されるラスターイメージプロセッサを提供する。
【００５８】
本発明は、更に、望ましくはインクジェットプリンタを用いて印刷される画像に関するビットマップ情報と、更に、該画像を印刷するために該プリンタによって噴出される液滴の液滴サイズに関する情報とを含む画像ファイルを提供する。
【００５９】
更に本発明によって提供されるのは、設定のそれぞれが、プリンタの印字ヘッドによる種々の液滴サイズの噴出に関連している、インクジェットプリンタのための一組の予め定められたプリンタ設定である。
【００６０】
本発明は、更に、画像を印刷するためにノズルによって噴出される液滴の必要サイズに関する液滴サイズ情報を含む、プリンタによって印刷される画像に関する情報を受信する工程と、必要液滴サイズ情報に基づいて、前記画像を印刷するための印刷パラメータ情報を決定する工程と、前記ノズルによって噴出される液滴が前記必要液滴サイズを有するよう前記プリンタを設定するべく、前記印刷パラメータ情報を使用する工程とを有する、インクジェットプリンタにおける印字ヘッドのノズルによって噴出される液滴のサイズを制御する方法を提供する。
【００６１】
本発明は、更に、本明細書に記載された何れかの方法を実行するための、及び／又は、本明細書に記載された何れかの装置特徴を実施するためのコンピュータプログラム及びコンピュータプログラム製品を提供する。また、本明細書に記載された何れかの方法を実行するための、及び／又は、本明細書に記載された何れかの装置特徴を実施するためのプログラムを保存したコンピュータ可読媒体を提供する。
【００６２】
本発明は、本明細書に記載の何れかの方法を実行するための、及び／又は、本明細書に記載の何れかの装置特徴を実施するための、コンピュータプログラムを実施する信号、その信号を送信する方法、及び、本明細書に記載された何れかの方法を実行するための、及び／又は、本明細書に記載された何れかの装置特徴を実施するための、コンピュータプログラムをサポートするオペレーティングシステムを有するコンピュータプログラム製品をも、提供する。
【００６３】
本発明は、実質的に、添付図面を参照して本発明に説明されている方法、及び／又は、装置にまで及ぶ。
【００６４】
本発明のある態様における如何なる特徴も、適切な組み合わせにおいて、本発明の他の態様に適用しても良い。特に、方法の態様を装置の態様に適用しても良いし、逆もまた同様である。
【００６５】
更に、ハードウェアで実施される特徴は一般にソフトウェアで実施されても良いし、逆もまた同様である。本明細書におけるソフトウェア及びハードウェアの特徴に関する言及は、しかるべき解釈がされるべきである。
【図面の簡単な説明】
【００６６】
本発明の望ましい特徴を、添付図面を参照しつつ、単に例示として、ここに詳細に説明する。
【００６７】
【図１】プリンタ制御構成を概略的に示す図である。
【図２】プリンタ制御ユニットの更なる特徴を概略的に示す図である。
【図３】プリンタ制御構成における情報処理工程を概略的に示す図である。
【発明を実施するための形態】
【００６８】
図１は、プリンタ制御構成１の構成要素（component）を概略的に示しており、それは、プリンタ制御ユニット３、ラスターイメージプロセッサ５（ＲＩＰ）、及び印字ヘッドドライバコンポーネント９によって制御される印字ヘッド８を用いて被印刷物に対して印刷を行うプリンタコンポーネント７を含んでいる。
【００６９】
画像データは、例えば画像作成編集装置４から、ＲＩＰ５に送り込まれる。ＲＩＰ５に入力される画像データは、例えば、PostScript、ＰＤＦ、ＪＰＧ、ＥＰＳ、ＴＩＦＦ又はその他の画像ファイルフォーマット等の、ベクター及びラスターデジタル画像情報を含んでいても良い。ＲＩＰ５は、当技術分野ではよく知られているように、一般的な目的用、又は専門用のコンピュータで実行されるソフトウェアを含んでいても良い。例えば、かかるＲＩＰは、下記に詳細に示されるように、本願に適するように適合されたWasatch Computer Technology のソフトウェアＲＩＰをベースとすることが出来る。一般に、ＲＩＰに入力された画像データは、プリンタ制御ユニット３に送信するのに適した解像度と方位でビットマップデータに変換された画像データである。ＲＩＰは、拡大縮小、回転、色変換、及びハーフトーニングオペレーションだけではなく、データフォーマット、更に選択的に、タイリング（tiling）及び多重画像レイアウトを行う。
【００７０】
画像情報は、その後、プリンタ制御ユニット３に送信される。この場合のプリンタ制御ユニットは、一般的又は専門用のコンピュータで実行されるソフトウェアを含む。本実施例では、プリンタ制御ユニットソフトウェアを実行するコンピュータは、ＲＩＰソフトウェアを実行するものとは別のものであるが、これら二つのコンポーネントは、同じコンピュータ上で実行させることも出来る。プリンタ制御ユニット３は、ＲＩＰから送られた画像データを読み、そのデータを、印字ヘッド８を用いて画像を印刷するためにプリンタコンポーネント７に送られる印刷指示に変換する。プリンタコンポーネントが、プリンタ制御ユニット３及びＲＩＰ５と独立して示されているが、一つ又はそれ以上の他のコンポーネントが、プリンタに含まれることも可能である。
【００７１】
本発明の望ましい実施例において、ＲＩＰは、液滴サイズ入力装置１０と関連づけられている。例えば、コンピュータ上で実行されているＲＩＰソフトウェアに指示を求められたとき、ＲＩＰのオペレータは、必要液滴サイズデータを入力しても良い。例えば、ソフトウェアは、オペレータが選択することの出来る様々な液滴サイズの選択肢を含むドロップダウンリスト（drop-down list）を、コンピュータスクリーンに表示する手段を含んでいても良い。オペレータは選択したものをＲＩＰに入力し、ＲＩＰはプリンタ制御ユニットに送られる画像データを決定する。望ましい実施例において、プリンタ制御ユニット３に送られるビットマップ画像データは、画像印刷に用いられる液滴サイズに関するデータが埋め込まれた画像ファイルの形式である。液滴サイズ情報は、望ましくは、ファイルのヘッダに含まれている。
【００７２】
画像データファイルは、その後、プリンタ制御ユニット３に送られる。ＲＩＰ５とプリンタ制御ユニット３の間に、物理的連結の必要がないことが理解される。例えば、接続は、ワイヤレス接続及び／又はネットワーク接続であって良く、それらはインターネット接続を含んでいても良い。また、ＲＩＰから出力された画像情報は、プリンタ制御ユニット３に後でロードするために、ディスク等のデータ記憶媒体にロードされ得ることが理解される。同様に、プリンタ制御ユニットとプリンタコンポーネント７の間の連結は、物理的なものでなくても良く、ＲＩＰとプリンタ制御ユニット３の間の連結に関する上記のコメントが、プリンタ制御ユニット３とプリンタコンポーネント７の間の連結にも同様に適用される。
【００７３】
図２は、プリンタ制御ユニット３の更なる特徴を、概略的に示している。プリンタ制御ユニット３は、ＲＩＰ５から画像情報を受信するための入力１２、及び画像印刷を行うために印刷パラメータ情報をプリンタコンポーネントに送信するための出力１４を有する処理ユニット（１１）を含む。プリンタ制御ユニットは、更に、印刷パラメータ情報を決定する際に使用される情報を記憶するための二つのメモリストア１６及び１８を含む。これらプリンタ制御ユニット３のコンポーネントは、一般的な目的用又は専門用コンピュータによって提供されても良い。
【００７４】
図２を参照すると、プリンタ制御ユニット３のオペレーションの例が記載されている。プリンタ制御ユニット３は、上記に記載されたように、ＲＩＰ５から送信された印刷画像ファイルを入力１２で受信し、処理ユニット１１でそれを分析する。ファイルは先ず、液滴サイズに関するデータを含んでいるかどうかを決定するために分析される。液滴サイズ情報が存在しなかった場合、初期メモリ（default memory）１８から初期プリンタ設定が取り出され、画像を印刷するための印刷パラメータ情報を決定するために使用される。初期プリンタ設定は、一般に、初期又は標準液滴サイズ（例えば、液滴質量で３０ｎｇ）を使用して画像が印刷されるような設定である。
【００７５】
液滴サイズ情報が検出された場合、それが取り出される。処理ユニット１１は、メモリストア１６から情報を取り出し、その取り出した情報を用いて、画像印刷のための印刷パラメータ情報を決定する。
【００７６】
二つのメモリストアの機能は、一つのコンポーネントによって与えられ得ることが理解される。
【００７７】
メモリストア１６又は初期メモリストア１８から取り出された情報は、一つ以上のプリンタ設定、値、又は印刷パラメータに関する情報を含んでおり、その値は、プリンタの印字ヘッドから噴出される液滴のサイズ、及び／又は、その特定の液滴サイズで行われるプリンタのオペレーションを決定する。望ましい実施例においては、プリンタ設定の集まりが、ファイルと共に受信された特定の液滴サイズ情報と一緒に取り出される。
【００７８】
プリンタ設定及び印刷パラメータは、以下の一つ以上を含んでも良い。
１．印刷パルス振幅
２．印刷パルス幅
３．印刷パルス電圧
４．印刷パルス周波数
５．印刷パルスタイミング［例えば、液滴のタイムインフライト（time-in-flight）        を考慮する観点から、調整が必要な場合等］
６．インク量モニタリング装置の操作
７．印字ヘッドにおけるインクの温度
８．印字ヘッドと被印刷物の動きの相対速度
９．印刷高さ（ギャップ）
１０．硬化電源
【００７９】
他の設定及びパラメータが含まれても良いことが、理解される。
【００８０】
印刷パラメータ情報は、設定及び／又はパラメータに関するデータを含んでいても良い。このデータは、プリンタ設定を設定する際、及び／又は、画像データに基づいてプリンタ指示を決定する際に用いられるために、プリンタコンポーネントに送られるだろう。それに代えて、若しくは追加して、プリンタ制御ユニットは更なる情報処理を実行しても良いし、例えば印字ヘッド制御ユニットに直接印字パルスを出力する等、プリンタ構成部材に印刷コマンドを出力しても良い。従って、印刷コマンドを決定するための更なる処理の幾つか又は全ては、プリンタ制御ユニット、プリンタ構成部材、或いはそれらの組み合わせにおいて行われても良い。幾つかの印刷パラメータ情報は、印刷の開始前にプリンタ設定を全体的に変更するために（例えば、印字ヘッドにおけるインクの温度を変更するためにヒータユニットのオペレーションを開始するために）、画像の印刷が始まる前にプリンタ構成部材に送られても良い。それに代えて、若しくは追加して、印刷パラメータ情報は、印刷中又は印刷後に送信されても良い。
【００８１】
それに代えて、若しくは追加して、プリンタ制御ユニットは、一つ以上の設定及び印刷パラメータを算出するために、公式又はその他の計算データをメモリ１６及び／又は１８から取り出す。そして、プロセッサが、公式又は他のデータを使用して印刷パラメータを算出するように、及び／又は、更なる算出のために公式又は他のデータをプリンタコンポーネント７に送るように構成されている。
【００８２】
特定の印刷作業のためにプリンタの設定が初期設定から変更されている場合、印刷作業が完了した時点で、設定が初期設定に戻るようにシステムが構成されていても良い。
【００８３】
新たな画像ファイルがプリンタ制御ユニット３に入力され処理されると、プリンタ制御ユニットは、この印刷作業のためのプリンタ設定が現時点のプリンタ設定と同様か異なるかを決定する。変更がない、若しくは少なかった場合、幾つかの印刷パラメータ情報はプリンタ構成部材に送られる必要がないし、プリンタ制御ユニットでの幾つかの処理が不要となるだろうという点で、効率化が図られ、従って時間の節約となる。
【００８４】
その決定は、プリンタ設定を直接分析して現在の設定を決定し、特定の次の印刷作業に必要なプリンタ設定と現在の設定とを比較する処理ユニット１１によって、実行されても良い。
【００８５】
それに代えて、若しくは追加して、特定の画像を印刷するために必要なプリンタ設定を決定する時、処理ユニットは、その画像を印刷するためのプリンタ設定に関する情報を設定メモリ２０（構成部材であるメモリ１６及び／又は初期メモリ１８によって提供され得る）に記憶する。その後、次の画像のための設定が算出された時、処理ユニット１１は、前回の画像（現在のプリンタ設定に対応していることが期待され得る）に関する設定情報を設定メモリ２０から取り出すようになっている。前回の画像のための設定情報は、その後、現在の画像のための設定情報と比較される。設定情報の一部又は全てが同じ場合、処理ユニットは、それに応じてプリンタに送られる印刷パラメータ情報を決定する。
【００８６】
各画像が印刷された後、プリンタが初期設定にリセットされる構成の場合、必要に応じて、現在の画像にプリンタ設定の変更が必要であるかどうか決定するために、前記プリンタ設定の比較は初期設定と比較されるだろう。
【００８７】
二つ以上の画像に関する情報がプリンタ制御ユニットにおいて一度に受信される場合、つまり、二つ以上のジョブが一度にロードされる場合、プリンタ制御ユニットは、幾つかの実施例において、印刷される各画像又は画像グループに必要なプリンタ設定を検討し、印刷ジョブのための印刷指示を決定するようになっており、望ましくは、画像を印刷するために必要なプリンタ設定の変更の数を減らすようになっている。
【００８８】
望ましくは、プリンタ制御ユニットは、特定のプリンタのためのドライバを有する。それに代えて、若しくは追加して、プリンタ制御ユニットは、幾つかの異なるプリンタ又はプリンタのタイプに用いられる印刷パラメータ情報を決定するように構成され得る。
【００８９】
例えば、プリンタ制御ユニットは、幾つかのメモリストアを含むことが出来、それぞれが一つ以上のプリンタ設定に関する情報、又は、別のプリンタのための値又は印刷パラメータを含んでいる。印刷パラメータ情報を決定する際、情報は、印刷パラメータ情報が対象とするプリンタにふさわしいメモリから取り出される。
【００９０】
この機能性の幾つか又は全てが、ＲＩＰの一部として提供され得ることが理解される。
【００９１】
プリンタ設定及び種々の液滴サイズに関連した印刷パラメータに関する情報の決定は、望ましくは実験によって行われる。特定のプリンタに対して、種々のパラメータと設定が変更され、テスト画像が印刷され、画像品質と印刷のスピード等を考慮に入れて、望ましい又は最適なパラメータ及び設定が決定される。
【００９２】
プリンタ設定とパラメータのグループの二つ以上が、各液滴サイズに関連することが想定される。例えば、必要とされる印刷品質に応じて種々の設定が入手可能とされ得る。例えば、１５ｎｇの液滴サイズに対して、二組のプリンタ設定が与えられ得る。つまり、一つは高品質低速度印刷に関連し、他方は低品質高速度印刷に関連する。オペレータは、印刷指示が決定した時、どちらの設定の組を使用するか選択するだろう。或いは、この選択はＲＩＰ段階でされても良いだろう。プリンタ設定及び印刷パラメータに関するこの情報の組は、本発明によって別々に提供され得る。この情報は、例えば、プリンタ制御ユニットにロードされるデータ媒体に提供され得る。
【００９３】
ＲＩＰ５は、プリンタ制御ユニットの幾つかの又は全てのオペレーションを実行、及び、印刷パラメータ情報を出力するのに使用され得ることが理解される。しかしながら、この場合ＲＩＰの出力は特定のプリンタに特有のものとなるので、場合によっては、このような構成は望ましくない。しかしながら、ＲＩＰは、種々のプリンタの中から選択された一つのプリンタに対する印刷指示を準備するために構成され得ることが想定されるべきである。ＲＩＰ及び他のデータ処理は、オペレータによって特定されたプリンタのタイプに基づいて実行される。
【００９４】
或いは、ＲＩＰは、プリンタ制御ユニット及び／又はプリンタ自体で実行され得るが、ＲＩＰ処理が印刷を妨げる場合があるので、この構成は高速プリンタには困難であり、それ故、独立したＲＩＰが望ましい。
【００９５】
図３は、プリンタ制御構成において情報を処理する実施例で行われる工程を、概略的に示す。この構成では、ＲＩＰ３５が様々なデータ入力を受信し、.ＲＴＬ ファイル３７をプリンタ処理ユニット３３に出力する。この構成において、プリンタ処理ユニットは、ＶＰＰ３７、及び、プリンタ構成部材における更なる処理ユニットを、プリンタ制御ユニットを含むプリンタ３９において含む。この構成において、ＶＰＰはプリンタ３９とは独立したコンピュータにおいて実行されるプログラムである。ＶＰＰ３７はＲＩＰ３５の出力（.ＲＴＬ ファイル）を取得し、下記に概説される処理工程に従い、印刷ジョブファイル（.ＩＰＦ ファイル３８）をプリンタ３９に出力する。プリンタ３９の出力は、印刷画像４１である。
【００９６】
ＲＩＰ入力４３は、ｊｐｅｇ又はＥＰＳファイル等の画像ファイル４５、必要滴質量４７に関する情報、必要画像サイズと解像度４９に関する情報、色情報５１及び使用されるプリンタモード５３を含む。これらの入力４３は、例えば、ＲＩＰ３５のソフトウェアユーザインターフェースを介してＲＩＰ３５に入力されても良い。ＲＩＰ３５は、画像ファイル４５内のデータを、滴質量情報４７を含む他の情報入力４３に基づいて、.ＲＴＬ ファイル３６の形式の初期印刷指示に変換する。.ＲＴＬ ファイル３６は、液滴サイズ情報に加えて、必要印刷解像度、画像サイズ、画像名称、プリンタモードを含む情報を有するヘッダを含む。
【００９７】
.ＲＴＬ ファイル３６は、.ＲＴＬ ファイル情報の処理を実行するＶＰＰ３７によって受信される。ＶＰＰ処理は、画像印刷に使用されるプリンタ又はプリンタタイプに特有であり、ＶＰＰ入力は、プリンタのノズルと使用されるプリントモードの構成に関する情報を含む。ＶＰＰ３７は、.ＲＴＬ ファイル３６内の画像データを分析し、印刷されるピクセル全てをプリンタ３９の特定のプリンタノズルに割り当てる。この処理の一部として、プリントされる滴の情報、ｘ、ｙ座標が決定される。つまり、.ＲＴＬ ファイル３６はプリンタ特有のものではないので、画像を印刷するのに用いられるノズル構成に関する情報、又は、プリンタの物理的配置に関する他の情報を含んでいない。
【００９８】
ＶＰＰ３７は、プリンタのノズル構成に関する情報をＰＭＤファイル入力５５から得る。そして、ＶＰＰ３７は、ノズル構成と印刷モードに基づいて、各ピクセルを印刷するためにどのノズルが使用されるかを決定する。
【００９９】
ＶＰＰ３７の出力は、プリンタ３９によって画像を印刷するためのプリンタ特有の印刷指示を含む.ＩＰＦ ファイル３８である。液滴サイズに関する情報、及び他の情報は、.ＲＴＬ ファイルのヘッダから.ＩＰＦ ファイル３８のヘッダにコピーされる。ＶＰＰ３７によって処理された後、.ＲＴＬ ファイル３６は削除されても良いし、又は、例えば、同じ画像が異なる印刷モード又は印字ヘッド構成で再び印刷される場合は、将来の使用のために保管しておいても良い（この場合、.ＲＴＬ ファイル３６内の情報は、別のＰＭＤファイル入力５５を使用するＶＰＰ３７によって再処理されるだろう）。
【０１００】
従って、.ＩＰＦ ファイル３８は、印刷を実行するためにプリンタ３９に入力される印刷ジョブファイルを有する。この場合、.ＩＰＦ ファイル３８は、各印刷パスに使用されるキャリッジ位置だけでなく、必要印刷解像度、画像サイズ、オリジナル画像名称、処理日、使用処理パラメータ等を含む。ファイルは、また、画像断片に関するデータを有する印刷画像データを含む。各断片は、印刷される被印刷物上に、印字ヘッドのパスにおける一つの印字ヘッドによって印刷されるものであるので、完全な画像データは、各印字ヘッドが一つの画像断片を印刷する印字ヘッドの一組によって印刷される。
【０１０１】
.ＩＰＦ ファイル３８は、更なる処理工程が行われるプリンタに入力され、画像４１の印刷を実行するべく印字ヘッドのノズルから液滴を噴出するために、信号を発生する。上記で述べたように、ここではプリンタ３９の構成部材として組み込まれているプリンタ制御ユニットは、.ＩＰＦ ファイル３８に含まれている液滴サイズ情報を確定する。プリンタ制御ユニットは、その後、そのファイル３８の特定の液滴サイズを用いて画像を印刷するために使用されるプリンタ設定を確定する。変更が必要なプリンタ設定は全て、画像が印刷される前に変更される。
【０１０２】
図３に示されるように、プリンタ入力６１がプリンタに設けられている。これらは、例えば、プリンタ設定情報６３、特定の液滴サイズに関する印刷パルスデータなどの滴質量セットアップデータ６５等の印刷パラメータ情報を含む。また、例えば、被印刷物の画像の位置に関する画像位置情報６７等の入力も提供され得る。この情報は、プリンタ自体の一部である、若しくは関連しているコンピュータメモリに便利良く保存されても良く、特にプリンタ設定情報は、望ましくは、コンピュータに保存される。それに代えて、若しくは追加して、例えば、ユーザがコンピュータソフトウェアインターフェースを用いて、一部の、又は全ての情報を別々に入力しても良い。
【０１０３】
他の構成が可能であることが、理解される。例えば、ＶＰＰ３７の機能は、プリンタ３９内で実行されても良い。実際、ＶＰＰ処理は、プリンタ３９における他の処理と共に実行されても良く、その結果、別個の.ＩＰＦ ファイル３８は生成されない。或いは、ＶＰＰ処理の幾つか又は全ては、ＲＩＰ３５によって実行されても良い。この場合、.ＲＴＬ ３６は生成されないだろう。
【０１０４】
各画像ファイルは、プリンタを用いてただ一つのパスを印刷することに関する情報を含んでいても良いし、又は、印刷される被印刷物の全体に対していくつものパスを印刷することに関する情報を含んでいても良い。
【０１０５】
−液滴サイズの決定方法−
液滴サイズは以下のように決定され得る。
・吸水性パッドの重さを量る。
・液滴サイズが決定される対象であるノズル、又は、平均液滴サイズが決定される対象であるノズルのグループが、吸水性パッドに隣接して配置され、既知の数のインク液滴がノズルからパッド上に噴出されるように、印字ヘッドが噴射される。
・パッドの重さが再び量られ、各ノズルによって噴出された液滴の数及びノズルの数が分かっているので、平均液滴サイズが決定される。
【０１０６】
従って、本明細書において、ノズルのグループに対する液滴サイズに関して言及されている場合、望ましくは、適宜、平均液滴サイズに関して言及していると認識されることが理解される。
【０１０７】
以上、本発明について記述してきたが、それはあくまでも例示に過ぎず、詳細に関しては、本願の範囲内で修正され得ることが理解される。
【０１０８】
本明細書、及び（適切な場合には）請求の範囲や図面に開示した各特徴は、単独で、若しくは適当な組合せにおいて提供され得る。
【図１】
2010516509.tif 000003
【図２】
2010516509.tif 000004
【図３】
2010516509.tif 000005
【国際調査報告】
2010516509.tif 000006
2010516509.tif 000007